(57)【要約】【課題】操作対象の装置の切り替えに応じて、表示装置を備える情報処理装置のディスプレイ機能及びコンピュータ機能を適切に切り替えることができるＫＶＭスイッチ及び制御プログラムを提供する。【解決手段】ＫＶＭスイッチ２０は、操作対象の装置としてコンピュータ１０とタブレットＰＣ４０とのいずれか一方を選択するためのＯＳＤと、コンピュータ１０が操作対象の装置として選択された場合に、タブレットＰＣ４０がディスプレイとして機能するディスプレイモード（第１モード）になるようにタブレットＰＣ４０を制御し、タブレットＰＣ４０が操作対象の装置として選択された場合に、タブレットＰＣ４０がディスプレイ及びコンピュータとして機能する通常モード（第２モード）になるようにタブレットＰＣ４０を制御するメインマイコン２１とを備える。【選択図】図１
2016151818.tif 000002
【特許請求の範囲】
【請求項１】
第１情報処理装置と、表示装置を備える第２情報処理装置とに接続されるＫＶＭ（Ｋ：キーボード、Ｖ：ビデオ、Ｍ：マウス）スイッチであって、
操作対象の装置として前記第１情報処理装置と前記第２情報処理装置とのいずれか一方を選択する選択手段と、
前記第１情報処理装置が前記操作対象の装置として選択された場合に、前記第２情報処理装置がディスプレイとして機能する第１モードになるように前記第２情報処理装置を制御し、前記第２情報処理装置が前記操作対象の装置として選択された場合に、前記第２情報処理装置がディスプレイ及びコンピュータとして機能する第２モードになるように前記第２情報処理装置を制御する制御手段と
を備えることを特徴とするＫＶＭスイッチ。
【請求項２】
前記第１情報処理装置が前記操作対象の装置として選択された場合に、前記制御手段は、前記第１情報処理装置から入力した映像信号を前記第２情報処理装置に出力し、
前記第２情報処理装置が前記操作対象の装置として選択された場合に、前記制御手段は、前記ＫＶＭスイッチに接続された入力装置から入力した操作信号を前記第２情報処理装置に出力することを特徴とする請求項１に記載のＫＶＭスイッチ。
【請求項３】
前記選択手段は、前記操作対象の装置として前記第１情報処理装置と前記第２情報処理装置とのいずれか一方を選択するための画面データを備え、
前記第２情報処理装置が前記第２モードであり、且つ前記制御手段が前記画面データの表示要求を受信した場合に、前記制御手段は、前記第２情報処理装置が前記第１モードになるように前記第２情報処理装置を制御し、前記第２情報処理装置に前記画面データを送信することを特徴とする請求項１又は２に記載のＫＶＭスイッチ。
【請求項４】
第１情報処理装置が接続されたＫＶＭスイッチに接続され、表示装置を備える第２情報処理装置を、
操作対象の装置の切替信号を前記ＫＶＭスイッチから受信する受信手段、
当該切替信号に基づいて、切替先の情報処理装置が前記第１情報処理装置又は前記第２情報処理装置のいずれであるかを判定する判定手段、及び
前記判定手段による判定結果に基づいて、前記第２情報処理装置をディスプレイとして機能させる第１モードと、前記第２情報処理装置をディスプレイ及びコンピュータとして機能させる第２モードとのいずれか一方を前記第２情報処理装置の動作モードとして設定する設定手段
として機能させることを特徴とする制御プログラム。
【請求項５】
前記ＫＶＭスイッチは、前記操作対象の装置として前記第１情報処理装置と前記第２情報処理装置とのいずれか一方を選択するための画面データを備え、
前記第２情報処理装置が前記第２モードであり、且つ前記受信手段が前記画面データの表示要求を受信した場合に、前記設定手段は、前記第２情報処理装置の動作モードを前記第２モードから前記第１モードに変更し、前記表示装置は、前記画面データを表示することを特徴とする請求項４に記載の制御プログラム。
【発明の詳細な説明】
【技術分野】
【０００１】
本発明は、ＫＶＭスイッチ及び制御プログラムに関する。
【背景技術】
【０００２】
従来より、外部ＰＣと接続され、外部ＰＣのデータと自端末のデータと切り替えて表示することができるタブレット型情報端末が知られている（例えば、特許文献１参照）。このタブレット型情報端末装置では、ユーザがタブレット型情報端末装置に設けられた切替スイッチを操作することにより、外部ＰＣのデータと自端末のデータと切り替えて表示する。また、タブレットＰＣ（Personal Computer）のようなブルートゥース装置と、コンピュータとに接続され、操作対象の装置をそのブルートゥース装置とコンピュータとのいずれかに切り替えるＫＶＭ（Ｋ：キーボード、Ｖ：ビデオ、Ｍ：マウス）スイッチが知られている（例えば、特許文献２参照）。
【先行技術文献】
【特許文献】
【０００３】
【特許文献１】特開２０００−２０２３９号公報
【特許文献２】特開２０１２−２３４５１７号公報
【発明の概要】
【発明が解決しようとする課題】
【０００４】
例えば、特許文献１のタブレット型情報端末装置を特許文献２のＫＶＭスイッチに接続されるブルートゥース装置に適用すると仮定する。特許文献２のＫＶＭスイッチにおいて、操作対象の装置をブルートゥース装置（つまり、特許文献１のタブレット型情報端末装置）からコンピュータに切り替える場合、ユーザがタブレット型情報端末装置に設けられた切替スイッチを操作して、コンピュータの映像をタブレット型情報端末装置に表示しなければならない。逆に、操作対象の装置をコンピュータからタブレット型情報端末装置に切り替える場合も、ユーザがタブレット型情報端末装置に設けられた切替スイッチを操作して、タブレット型情報端末装置の映像を自端末に表示しなければならない。
【０００５】
このように、特許文献１のタブレット型情報端末装置を特許文献２のＫＶＭスイッチに接続されるブルートゥース装置に適用する場合、ＫＶＭスイッチに接続される操作対象の装置の切り替えに応じて、タブレット型情報端末装置が有するコンピュータとしての機能及びディスプレイとしての機能を自動的に切り替えることができないという課題がある。
【０００６】
本発明は、操作対象の装置の切り替えに応じて、表示装置を備える情報処理装置のディスプレイ機能及びコンピュータ機能を適切に切り替えることができるＫＶＭスイッチ及び制御プログラムを提供することを目的とする。
【課題を解決するための手段】
【０００７】
上記目的を達成するため、明細書に開示されたＫＶＭスイッチは、第１情報処理装置と、表示装置を備える第２情報処理装置とに接続されるＫＶＭ（Ｋ：キーボード、Ｖ：ビデオ、Ｍ：マウス）スイッチであって、操作対象の装置として前記第１情報処理装置と前記第２情報処理装置とのいずれか一方を選択する選択手段と、前記第１情報処理装置が前記操作対象の装置として選択された場合に、前記第２情報処理装置がディスプレイとして機能する第１モードになるように前記第２情報処理装置を制御し、前記第２情報処理装置が前記操作対象の装置として選択された場合に、前記第２情報処理装置がディスプレイ及びコンピュータとして機能する第２モードになるように前記第２情報処理装置を制御する制御手段とを備える。
【０００８】
上記目的を達成するため、明細書に開示された制御プログラムは、第１情報処理装置が接続されたＫＶＭスイッチに接続され、表示装置を備える第２情報処理装置を、操作対象の装置の切替信号を前記ＫＶＭスイッチから受信する受信手段、当該切替信号に基づいて、切替先の情報処理装置が前記第１情報処理装置又は前記第２情報処理装置のいずれであるかを判定する判定手段、及び前記判定手段による判定結果に基づいて、前記第２情報処理装置をディスプレイとして機能させる第１モードと、前記第２情報処理装置をディスプレイ及びコンピュータとして機能させる第２モードとのいずれか一方を前記第２情報処理装置の動作モードとして設定する設定手段として機能させる。
【発明の効果】
【０００９】
本発明によれば、操作対象の装置の切り替えに応じて、表示装置を備える情報処理装置のディスプレイ機能及びコンピュータ機能を適切に切り替えることができる。
【図面の簡単な説明】
【００１０】
【図１】本実施の形態に係るＫＶＭ（Ｋ：キーボード、Ｖ：ビデオ、Ｍ：モニタ）スイッチを備えるシステムの構成図である。
【図２】タブレットＰＣの構成図である。
【図３】タブレットＰＣに表示されるコンピュータ切り替え用の設定画面の例を示す図である。
【図４】ディスプレイモード時の各種の信号の流れを示す図である。
【図５】通常モード時の各種の信号の流れを示す図である。
【図６】ＯＳＤ表示時の各種の信号の流れを示す図である。
【図７】（Ａ）は、接続対象のコンピュータを切り替える際にメインマイコン及び制御ソフトウエアによって実行される処理を示すフローチャートである。（Ｂ）は、図７（Ａ）の変形例を示すフローチャートである。
【図８】（Ａ）は、ＯＳＤを通常モードのタブレットＰＣに表示する際にメインマイコン及び制御ソフトウエアによって実行される処理を示すフローチャートである。（Ｂ）は、図８（Ａ）の変形例を示すフローチャートである。
【発明を実施するための形態】
【００１１】
以下、図面を参照しながら本発明の実施の形態を説明する。
【００１２】
図１は、本実施の形態に係るＫＶＭ（Ｋ：キーボード、Ｖ：ビデオ、Ｍ：モニタ）スイッチを備えるシステムの構成図である。
【００１３】
図１に示すように、システム１は、第１情報処理装置としてのコンピュータ１０と、ＫＶＭスイッチ２０と、第２情報処理装置としてのタブレットＰＣ（Personal Computer）４０と、コンソール２，３とを備えている。コンソール２，３は、例えば、マウス及びキーボードである。尚、ＫＶＭスイッチ２０に接続されるコンピュータ１０の台数は、１つに限定されず、複数でもよい。また、システム１は、サーバラックに搭載される装置にも適用できる。例えば、システム１は、コンソールであるマウス及びキーボードをＫＶＭスイッチ２０と一体型にし、サーバラックに搭載されるドロワーと、サーバラックに搭載されるタブレット用スタンドに装着されるタブレットとで構成されていてもよい。
【００１４】
コンピュータ１０は、コンピュータ１０の全体動作を制御するＣＰＵ（Central Processing Unit）１１と、ワーキングエリアとして機能するメモリ１２と、各種のプログラムやデータを備えるハードディスクドライブ（ＨＤＤ）１３と、操作信号（例えばキーコード及びマウスデータ）を入力するコンソール用インタフェース（Ｉ／Ｆ）１４と、映像信号（例えばサーバ１０の画面データ）を出力するビデオＩ／Ｆ１５とを備えている。コンソールＩ／Ｆ１４は、例えば、ＵＳＢ（Universal Serial Bus）又はＰＳ／２である。ビデオＩ／Ｆ１５は、例えば、ＶＧＡ（Video Graphics Array）、ＤＶＩ（Digital Visual Interface）又はＨＤＭＩ（登録商標）（High-Definition Multimedia Interface）である。ここでは、コンソールＩ／Ｆ１４及びビデオＩ／Ｆ１５は、ＫＶＭスイッチ２０と有線通信を行うインタフェースであるが、ＫＶＭスイッチ２０と無線通信を行うインタフェース（Bluetooth（登録商標）、WHDI (Wireless Home Digital Interface)など）でもよい。
【００１５】
ＫＶＭスイッチ２０は、コンソール２，３又はタブレットＰＣ４０のタッチパネルがコンピュータ１０を遠隔操作するための装置である。ＫＶＭスイッチ２０は、操作対象のコンピュータをコンピュータ１０及びタブレットＰＣ４０のいずれか一方に切り替えると共に、キーコード及びマウスデータ、並びに映像信号の転送先を切り替えるメインマイコン２１と、ＫＶＭスイッチ２０の各種の設定を行うためのＯＳＤ（On Screen Display）をタブレットＰＣ４０に表示するＯＳＤコントローラ２２と、コンソールＩ／Ｆ１４にケーブルを介して接続され、操作信号を出力するコンソールＩ／Ｆ２３と、ビデオＩ／Ｆ１５にビデオケーブルを介して接続され、映像信号を受信するビデオＩ／Ｆ２４とを備えている。ＯＳＤコントローラ２２は、操作対象の装置としてのコンピュータ１０及びタブレットＰＣ４０のいずれか一方を選択するための画面データであるＯＳＤを有する選択手段に対応する。メインマイコン２１は、タブレットＰＣ４０の動作モードを制御する制御手段として機能する。
【００１６】
コンソールＩ／Ｆ２３及びビデオＩ／Ｆ２４は、コンピュータ１０と有線通信を行うインタフェースであるが、コンピュータ１０と無線通信を行うインターフェース（Bluetooth（登録商標）、WHDI (Wireless Home Digital Interface)など）でもよい。尚、コンピュータ１０及びＫＶＭスイッチ２０は、コンソールＩ／Ｆ１４，２３及びビデオＩ／Ｆ１５，２４を介して接続されるので、ＫＶＭスイッチ２０がコンピュータ１０内のファイルデータを持ち出すことはできない。
【００１７】
さらに、ＫＶＭスイッチ２０は、タブレットＰＣ４０と認証を行うための認証スイッチ２５と、操作対象のコンピュータをコンピュータ１０及びタブレットＰＣ４０のいずれか一方に切り替えるための切替えスイッチ２６と、コンソール２からの操作信号を入力するコンソールＩ／Ｆ２７と、映像信号をタブレットＰＣ４０に出力するビデオＩ／Ｆ２８と、タブレットＰＣ４０に接続されたコンソール３からの操作信号を入力するコンソールＩ／Ｆ２９と、タブレットＰＣ４０のタッチパネルからの操作信号（例えばタッチオンされた位置の座標を示す信号）を入力するタッチパネルＩ／Ｆ３０と、タブレットＰＣ４０の制御ソフトウエア４１とメインマイコン２１との間で、制御信号（例えば認証データやコンピュータの切り替え指示など）を送受信する制御Ｉ／Ｆ３１とを備えている。
【００１８】
ここで、ＫＶＭスイッチ２０とタブレットＰＣ４０との間では無線通信が行われるため、ビデオＩ／Ｆ２８は、例えばWHDI (Wireless Home Digital Interface)のような無線通信を行うインターフェースである。コンソールＩ／Ｆ２９、タッチパネルＩ／Ｆ３０及び制御Ｉ／Ｆ３１も例えばBluetooth（登録商標）のような無線通信を行うインターフェースである。また、コンソールＩ／Ｆ２９、タッチパネルＩ／Ｆ３０及び制御Ｉ／Ｆ３１は一つの無線通信インターフェースで構成されてもよい。図１のＫＶＭスイッチ２０とタブレットＰＣ４０との間の点線は、無線通信を示す。尚、ＫＶＭスイッチ２０とタブレットＰＣ４０との間では有線通信が行われてもよい。この場合、ビデオケーブルやシリアルケーブルなどがＫＶＭスイッチ２０とタブレットＰＣ４０との間に接続される。
【００１９】
ＫＶＭスイッチ２０に接続されたタブレットＰＣ４０を使用する場合には、ＫＶＭスイッチ２０がタブレットＰＣ４０を認証する必要がある。タブレットＰＣ４０の認証方法は、従来から知られている知識認証、所有物認証又は生体認証のいずれかを利用したソフトウエアによる認証である。例えば、タブレットＰＣ４０に認証用ソフトウエア（例えば制御ソフトウエア４１）を予めインストールし、認証用ソフトウエアを起動した状態で認証スイッチ２５が押下されると、ＫＶＭスイッチ２０及びタブレットＰＣ４０は、認証データの確認処理を行う。正常に認証データが確認されると、タブレットＰＣ４０は、ＫＶＭスイッチ２０に接続された状態になる。尚、ＫＶＭスイッチ２０及びタブレットＰＣ４０は無線通信を行うので、ＫＶＭスイッチ２０及びタブレットＰＣ４０の間で送受信されるデータは従来の暗号化方式を利用して暗号化される。
【００２０】
図２は、タブレットＰＣの構成図である。
【００２１】
タブレットＰＣ４０は、タブレットＰＣ４０の全体動作を制御するＣＰＵ（Central Processing Unit）４３と、ワーキングエリアとして機能するメモリ４４と、制御ソフトウエア４１やデータを備えるハードディスクドライブ（ＨＤＤ）４５と、タブレットＰＣ４０内の映像信号又はコンピュータ１０の映像信号を表示するディスプレイ４６と、操作を入力するタッチパネル４７とを備えている。さらに、タブレットＰＣ４０は、映像信号（例えばサーバ１０の画面データ）を入力するビデオＩ／Ｆ４８と、コンソール３からの操作信号を出力する第１コンソールＩ／Ｆ４９と、タッチパネル４７からの操作信号を出力するタッチパネルＩ／Ｆ５０と、制御信号（例えば認証データやコンピュータの切り替え指示など）を送受信する制御Ｉ／Ｆ５１と、コンソール３からの操作信号を入力する第２コンソールＩ／Ｆ５２とを備えている。制御Ｉ／Ｆ５１は受信手段に対応し、制御ソフトウエア４１を実行するＣＰＵ４３は判定手段及び設定手段に対応する。
【００２２】
第１コンソールＩ／Ｆ４９、タッチパネルＩ／Ｆ５０及び制御Ｉ／Ｆ５１は、例えばBluetooth（登録商標）のような無線通信を行うインターフェースである。また、第１コンソールＩ／Ｆ４９、タッチパネルＩ／Ｆ５０及び制御Ｉ／Ｆ５１は一つの無線通信インターフェースで構成されてもよい。ビデオＩ／Ｆ４８は、WHDI（Wireless Home Digital Interface）のような無線通信を行うインタフェースである。尚、ＫＶＭスイッチ２０とタブレットＰＣ４０との間では有線通信が行われてもよい。この場合、ビデオケーブルやシリアルケーブルなどがＫＶＭスイッチ２０とタブレットＰＣ４０との間に接続される。
【００２３】
タブレットＰＣ４０は、制御ソフトウエア４１の動作により２つの動作モードを有する。２つの動作モードは、通常モード及びディスプレイモードである。通常モードは、タブレットＰＣ４０がディスプレイ及び操作対象のコンピュータとして動作するモードである。通常モードでは、ユーザは、タッチパネル４７やコンソール３を利用してタブレットＰＣ４０を単体のタブレットＰＣとして操作することができ、さらにＫＶＭスイッチ２０に接続されているコンソール２を利用してタブレットＰＣ４０を操作することができる。通常モードでは、タブレットＰＣ４０内のデータがディスプレイ４６に表示される。
【００２４】
ディスプレイモードは、タブレットＰＣ４０がディスプレイとして動作するモードである。ディスプレイモードでは、操作対象のコンピュータ１０からの映像信号がディスプレイ４６に表示される。また、通常モードでもディスプレイモードでも、データの入力手段として、コンソール２，３及びタッチパネル４７を使用することができる。通常モードでもディスプレイモードでも、ＯＳＤはディスプレイ４６に表示される。
【００２５】
尚、通常モード時にＯＳＤがディスプレイ４６に表示される場合には、タブレットＰＣ４０は一時的にディスプレイモードになり、操作信号はＫＶＭスイッチ２０のメインマイコン２１に送信され、ＯＳＤの表示に反映される。ＯＳＤで設定又は選択された情報は、制御Ｉ／Ｆ３１を介してメインマイコン２１から制御ソフトウエア４１に送信される。
【００２６】
操作対象のコンピュータを選択する方法は、１）ＯＳＤでの選択操作、２）切替えスイッチ２６での選択操作、３）コンソール２又は３からのホットキーでの選択操作、４）タブレットＰＣ４０のタッチパネルのジェスチャでの選択操作、５）タブレットＰＣ４０にインストールされている制御ソフトウエア４１での選択操作のいずれかである。尚、操作対象のコンピュータは、コンピュータ１０だけでなくタブレットＰＣ４０も含む。
【００２７】
図３は、タブレットＰＣに表示されるコンピュータ切り替え用の設定画面の例を示す図である。このコンピュータ切り替え用の設定画面は、ＯＳＤの一例である。例えば、ユーザがコンソール２，３又はタブレットＰＣ４０からＯＳＤのコンピュータの切り替え指示を入力した場合に、ＯＳＤコントローラ２２から図２のコンピュータ切り替え用の設定画面が呼び出されて、タブレットＰＣ４０のディスプレイ４６に表示される。ユーザが、切替先のコンピュータを選択し、ＯＫボタンを押下すると、タブレットＰＣ４０から操作対象のコンピュータを切り替えるための制御信号がメインマイコン２１に送信される。メインマイコン２１は、タブレットＰＣ４０から操作対象のコンピュータを切り替えるための制御信号に基づいて、操作対象のコンピュータから選択されたコンピュータに切り替える。
【００２８】
例えば、切替先のコンピュータとしてタブレットＰＣ４０が選択された場合には、ＣＰＵ４３により実行される制御ソフトウエア４１は、メインマイコン２１から操作対象のコンピュータをタブレットＰＣ４０に切り替えるための制御信号（つまり、通常モードを設定するための制御信号）を受信し、当該制御信号に基づいてタブレットＰＣ４０の動作モードを通常モードに設定する。例えば、切替先のコンピュータとしてＫＶＭスイッチ２０に接続されているコンピュータ１０が選択された場合には、ＣＰＵ４３により実行される制御ソフトウエア４１は、メインマイコン２１から操作対象のコンピュータをコンピュータ１０に切り替えるための制御信号（つまり、ディスプレイモードを設定するための制御信号）を受信し、当該制御信号に基づいてタブレットＰＣ４０の動作モードをディスプレイモードに設定する。
【００２９】
図４は、ディスプレイモード時の各種の信号の流れを示す図である。図５は、通常モード時の各種の信号の流れを示す図である。図６は、ＯＳＤ表示時の各種の信号の流れを示す図である。
【００３０】
図４のディスプレイモードでは、メインマイコン２１は、コンソール２からコンソールＩ／Ｆ２７を介して操作信号を受信し（Ｐ１）、当該操作信号をコンピュータ１０に送信する（Ｐ２）。また、メインマイコン２１は、コンソール３からタブレットＰＣ４０及びコンソールＩ／Ｆ２９を介して操作信号を受信し（Ｐ３）、当該操作信号をコンピュータ１０に送信する（Ｐ２）。あるいは、メインマイコン２１は、タブレットＰＣ４０のタッチパネル４７からタブレットＩ／Ｆ３０を介して操作信号を受信し（Ｐ４）、当該操作信号をコンピュータ１０に送信する（Ｐ２）。さらに、メインマイコン２１は、コンピュータ１０から映像信号をビデオＩ／Ｆ２４を介して受信し（Ｐ５）、当該映像信号をビデオＩ／Ｆ２８を介してタブレットＰＣ４０のディスプレイ４６に送信する（Ｐ６）。また、メインマイコン２１は、制御Ｉ／Ｆ３１を介して制御信号を制御ソフトウエア４１と送受信する（Ｐ７）。この制御信号は、操作対象のコンピュータの切り替え、タブレットＰＣ４０の認証又はタブレットＰＣ４０の動作モードの設定などに利用される。
【００３１】
図５の通常モードでは、コンソール３からの操作信号、タッチパネル４７の操作信号、タブレットＰＣ４０の映像信号は、タブレットＰＣ４０内で処理されるので、図５では、これらの信号が省略されている。メインマイコン２１は、コンソール２からコンソールＩ／Ｆ２７を介して操作信号を受信し（Ｐ８）、当該操作信号をコンソールＩ／Ｆ２９を介してタブレットＰＣ４０に送信する（Ｐ９）。また、メインマイコン２１は、制御Ｉ／Ｆ３１を介して制御信号を制御ソフトウエア４１と送受信する（Ｐ１０）。この制御信号は、操作対象のコンピュータの切り替え、タブレットＰＣ４０の認証又はタブレットＰＣ４０の動作モードの設定などに利用される。
【００３２】
図６のＯＳＤ表示時には、メインマイコン２１は、コンソール２からコンソールＩ／Ｆ２７を介して操作信号を受信し（Ｐ１１）、コンソール３からタブレットＰＣ４０及びコンソールＩ／Ｆ２９を介して操作信号を受信し（Ｐ１２）又はタブレットＰＣ４０のタッチパネル４７からタブレットＩ／Ｆ３０を介して操作信号を受信する（Ｐ１３）。メインマイコン２１は、受信した操作信号の内容をＯＳＤに反映し、その操作内容が反映されたＯＳＤをビデオＩ／Ｆ２８を介してタブレットＰＣ４０のディスプレイ４６に送信する（Ｐ１４）。また、メインマイコン２１は、制御Ｉ／Ｆ３１を介して制御信号を制御ソフトウエア４１と送受信する（Ｐ１５）。この制御信号は、ＯＳＤや制御ソフトウエア４１の各種設定に使用される。例えば、この制御信号は、操作対象のコンピュータの切り替え、タブレットＰＣ４０の認証又はタブレットＰＣ４０の動作モードの設定などに利用される。
【００３３】
図７（Ａ）は、接続対象のコンピュータを切り替える際にメインマイコン及び制御ソフトウエアによって実行される処理を示すフローチャートである。図７（Ｂ）は、図７（Ａ）の変形例を示すフローチャートである。図７（Ｂ）では、図７（Ａ）と同一の処理に同一のステップ番号を付し、その説明を省略する。
【００３４】
図７（Ａ）において、認証スイッチ２５が押下されると、ＫＶＭスイッチ２０のメインマイコン２１がタブレットＰＣ４０の制御ソフトウエア４１と認証を行う（ステップＳ１）。これは、情報セキュリティのために、認証されたタブレットＰＣ４０以外のタブレットＰＣを使用できなくするためである。尚、タブレットＰＣ４０には、認証に必要なデータ及び制御ソフトウエア４１が予めインストールされている。
【００３５】
次に、メインマイコン２１が、操作対象のコンピュータを選択されたコンピュータに切り替えるための制御信号に応じて、操作対象のコンピュータを選択されたコンピュータに切り替えると共に、当該制御信号を制御Ｉ／Ｆ３１を介して制御ソフトウエア４１に送信する（ステップＳ２）。操作対象のコンピュータを選択されたコンピュータに切り替える方法は、上述したように、１）ＯＳＤでのコンピュータの選択操作、２）切替えスイッチ２６でのコンピュータの選択操作、３）コンソール２又は３からのホットキーでのコンピュータの選択操作、４）タブレットＰＣ４０のタッチパネルのジェスチャでのコンピュータの選択操作、５）タブレットＰＣ４０にインストールされている制御ソフトウエア４１でのコンピュータの選択操作のいずれかである。
【００３６】
制御ソフトウエア４１は、操作対象のコンピュータを選択されたコンピュータに切り替えるための制御信号をメインマイコン２１から受信し、切替先を判定する（ステップＳ３）。切替先がタブレットＰＣ４０である場合、制御ソフトウエア４１は、タブレットＰＣ４０の動作モードを通常モードに設定する（ステップＳ４）。これにより、タブレットＰＣ４０は操作対象のコンピュータ及びディスプレイとして機能する。この場合、タブレットＰＣ４０はコンソール２からの操作信号をＫＶＭスイッチ２０を介して受信するので、ユーザはコンソール２を使用して、タブレットＰＣ４０を操作することができる。
【００３７】
一方、切替先がコンピュータ１０である場合、制御ソフトウエア４１は、タブレットＰＣ４０の動作モードをディスプレイモードに設定する（ステップＳ５）。これにより、タブレットＰＣ４０はディスプレイとして機能する。この場合、切替先のコンピュータ１０の映像信号が、タブレットＰＣ４０に表示される。
【００３８】
図７（Ａ）では、制御ソフトウエア４１が、切替先を判定し、その判定結果に基づいて動作モードを設定しているが、図７（Ｂ）ではメインマイコン２１が、切替先を判定し、その判定結果に基づいてタブレットＰＣの動作モードを制御するための制御信号を制御ソフトウエア４１に送信する。以下、図７（Ｂ）について説明する。
【００３９】
図７（Ｂ）では、ステップＳ１の後、メインマイコン２１が、操作対象のコンピュータを選択されたコンピュータに切り替えるための制御信号に応じて、操作対象のコンピュータを選択されたコンピュータに切り替える（ステップＳ２Ａ）。メインマイコン２１は、切替先のコンピュータを判定する（ステップＳ３Ａ）。
【００４０】
ステップＳ３Ａにおいて、切替先のコンピュータがタブレットＰＣ４０である場合には、メインマイコン２１は、タブレットＰＣ４０をディスプレイ及びコンピュータとして機能させる制御信号（つまり、タブレットＰＣ４０を通常モードに制御する制御信号）を制御Ｉ／Ｆ３１を介して制御ソフトウエア４１に送信する（ステップＳ６）。制御ソフトウエア４１は、タブレットＰＣ４０をディスプレイ及びコンピュータとして機能させる制御信号をメインマイコン２１から受信し、その制御信号に応じてタブレットＰＣ４０の動作モードを通常モードに設定する（ステップＳ７）。
【００４１】
一方、ステップＳ３Ａにおいて、切替先のコンピュータがコンピュータ１０である場合には、メインマイコン２１は、タブレットＰＣ４０をディスプレイとして機能させる制御信号（つまり、タブレットＰＣ４０をディスプレイモードとして制御する制御信号）を制御Ｉ／Ｆ３１を介して制御ソフトウエア４１に送信する（ステップＳ８）。制御ソフトウエア４１は、タブレットＰＣ４０をディスプレイとして機能させる制御信号をメインマイコン２１から受信し、その制御信号に応じてタブレットＰＣ４０の動作モードをディスプレイモードに設定する（ステップＳ９）。
【００４２】
図８（Ａ）は、ＯＳＤを通常モードのタブレットＰＣに表示する際にメインマイコン及び制御ソフトウエアによって実行される処理を示すフローチャートである。図８（Ｂ）は、図８（Ａ）の変形例を示すフローチャートである。図８（Ｂ）では、図８（Ａ）と同一の処理に同一のステップ番号を付し、その説明を省略する。
【００４３】
図８（Ａ）において、タブレットＰＣ４０が通常モードである場合に、メインマイコン２１が、ＯＳＤの表示要求をコンソール２，３又はタブレットＰＣ４０から受信する（ステップＳ１１）。
【００４４】
メインマイコン２１が、ＯＳＤの表示要求を制御Ｉ／Ｆ３１を介して制御ソフトウエア４１に送信する（ステップＳ１２）。制御ソフトウエア４１は、ＯＳＤの表示要求を受信し、ＯＳＤの表示要求に応じてタブレットＰＣ４０の動作モードを一時的に通常モードからディスプレイモードに変更する（ステップＳ１３）。ここでは、制御ソフトウエア４１がＯＳＤの表示完了の要求を受信するまで、タブレットＰＣ４０の動作モードをディスプレイモードに変更する。制御ソフトウエア４１がＯＳＤの表示完了の要求を受信すると、制御ソフトウエア４１はタブレットＰＣ４０の動作モードを通常モードに戻す。
【００４５】
メインマイコン２１は、ＯＳＤをＯＳＤコントローラから読み出し、タブレットＰＣ４０のディスプレイ４６に送信する（ステップＳ１４）。以上の処理により、ＯＳＤはタブレットＰＣ４０のディスプレイ４６に表示される。
【００４６】
図８（Ｂ）において、ステップＳ１１の後に、メインマイコン２１が、タブレットＰＣ４０の動作モードを一時的に通常モードからディスプレイモードに変更する制御信号を制御Ｉ／Ｆ３１を介して制御ソフトウエア４１に送信する（ステップＳ１５）。制御ソフトウエア４１は、この制御信号を受信し、タブレットＰＣ４０の動作モードを一時的に通常モードからディスプレイモードに変更する（ステップＳ１６）。その後、メインマイコン２１がステップＳ１４を実行する。
【００４７】
図８（Ａ）及び図８（Ｂ）によれば、タブレットＰＣ４０が通常モードであり、ＯＳＤの表示要求が受信された場合には、メインマイコン２１がタブレットＰＣ４０の動作モードをディスプレイモードに一時的に変更するようにタブレットＰＣ４０を制御するので、ＯＳＤをタブレットＰＣ４０に表示することができる。また、制御ソフトウエア４１はタブレットＰＣ４０の動作モードをディスプレイモードに一時的に変更するので、ＯＳＤをタブレットＰＣ４０に表示することができる。
【００４８】
尚、本実施の形態では、操作対象のコンピュータ及びディスプレイとして機能する装置としてタブレットＰＣ４０が使用されているが、操作対象のコンピュータ及びディスプレイとして機能する装置は、これに限定されるものではない。例えば、操作対象のコンピュータ及びディスプレイとして機能する装置は、ディスプレイ一体型パソコン、スマートフォン又はスマートウォッチなどでもよい。
【００４９】
以上説明したように、本実施の形態によれば、ＫＶＭスイッチ２０は、操作対象の装置としてコンピュータ１０とタブレットＰＣ４０とのいずれか一方を選択するためのＯＳＤと、コンピュータ１０が操作対象の装置として選択された場合に、タブレットＰＣ４０がディスプレイとして機能するディスプレイモード（第１モード）になるようにタブレットＰＣ４０を制御し、タブレットＰＣ４０が操作対象の装置として選択された場合に、タブレットＰＣ４０がディスプレイ及びコンピュータとして機能する通常モード（第２モード）になるようにタブレットＰＣ４０を制御するメインマイコン２１とを備える。よって、ＫＶＭスイッチ２０は、操作対象の装置の切り替えに応じて、タブレットＰＣ４０のディスプレイ機能及びコンピュータ機能を適切に切り替えることができる。
【００５０】
また、制御ソフトウエア４１は、操作対象の装置の切替用の制御信号をＫＶＭスイッチ２０から受信し、切替先がコンピュータ１０又はタブレットＰＣ４０のいずれであるかを判定し、その判定結果に基づいて、タブレットＰＣ４０をディスプレイとして機能させるディスプレイモード（第１モード）と、タブレットＰＣ４０をディスプレイ及びコンピュータとして機能させる通常モード（第２モード）とのいずれか一方をタブレットＰＣ４０の動作モードとして設定する。よって、制御ソフトウエア４１は、操作対象の装置の切り替えに応じて、タブレットＰＣ４０のディスプレイ機能及びコンピュータ機能を適切に切り替えることができる。
【００５１】
尚、本発明は、上述した実施の形態に限定されるものではなく、その要旨を逸脱しない範囲内で種々変形して実施することが可能である。
【符号の説明】
【００５２】
１  システム
２，３  コンソール
１０  サーバ
２０  ＫＶＭスイッチ
２１  メインマイコン
２２  ＯＳＤコントローラ
２５  認証スイッチ
２６  切替えスイッチ
４０  タブレットＰＣ
４１  制御ソフトウエア
４３  ＣＰＵ
４６  ディスプレイ
４７  タッチパネル
【図１】
2016151818.tif 000003
【図２】
2016151818.tif 000004
【図３】
2016151818.tif 000005
【図４】
2016151818.tif 000006
【図５】
2016151818.tif 000007
【図６】
2016151818.tif 000008
【図７】
2016151818.tif 000009
【図８】
2016151818.tif 000010